(57)【特許請求の範囲】
【請求項１】
タイヤ載置台と、該タイヤ載置台を上下動させる本体とを備えたタイヤ着脱装置において、
前記タイヤ載置台を前記本体に取り外し可能に構成するとともに、前記本体とタイヤ載置台とに、それぞれ、キャスタを有し、床上を移動可能に構成し、前記タイヤ載置台は前記キャスタを有する基台と、該基台上に配置されるタイヤ支持部材とを有し、該タイヤ支持部材は二個のタイヤを軸芯方向に並んで支持するＨ字型の支持アームが設けられるとともに基台の縁部との間に間隔を有してタイヤの回転する前後方向に移動可能に配置され、ガレージ・ジャッキの上下動可能な受け皿部分を取り外し可能に構成し、前記受け皿部分を取り外したガレージ・ジャッキの前記本体を、前記受け皿部分及び前記タイヤ載置台とを取り替えて用いるように構成したことを特徴としたタイヤ着脱装置。
【発明の詳細な説明】
【０００１】
【発明の属する技術分野】
本発明は、タイヤ載置台と、該タイヤ載置台を上下動させる本体とを備えたタイヤ着脱装置に関する。
【０００２】
【従来の技術】
従来一般に使用されているタイヤ着脱方法は、車両整備用リフトにより車両をリフトアップしてタイヤを着脱する方法と、ガレージジャッキにより車両を持ち上げてタイヤを着脱する方法が存在する。
【０００３】
車両整備用リフトを使用する場合は、タイヤ交換、または車両の足回り等の点検修理等において、作業性にあった必要とする高さに油圧により容易に車両をリフトアップすることができる。
【０００４】
ところが、車両整備用リフトは設備が高価であり、複数の車両に対応できるように複数のリフトを用意するのは経済的に負担であり、また、車両を所定位置に停止させた後に、該車両をリフトアップする必要があり、作業上いろいろと不便な点があり、タイヤ交換においては平らな床面のどこでも使用でき、迅速に対処できるガレージジャッキが使用される場合が多い。
【０００５】
【発明が解決しようとする課題】
しかしながら、このガレージジャッキは車両を持ち上げる高さに制限があり、あまり高く車両をもちあげることはできない。
したがって、作業者はタイヤ着脱において中腰での作業を強いられ、作業者の足腰に負担が掛かるという問題がある。
【０００６】
上述の事情に鑑み、本発明は、作業者の足腰に負担の掛からないタイヤ着脱装置の提供を目的としたものである。
また、本発明の他の目的は、車両の軸芯とタイヤの中心とのセンタリングを簡単に行えるタイヤ着脱装置を提供することである。
また、本発明の他の目的は、車両からタイヤを取り外した後に、容易に該タイヤを移動し、保管できるタイヤ着脱装置を提供することである。
【０００７】
【課題を解決するための手段】
本発明は、タイヤ載置台と、該タイヤ載置台を上下動させる本体とを備えたタイヤ着脱装置において、
前記タイヤ載置台を前記本体に取り外し可能に構成するとともに、前記本体とタイヤ載置台とに、それぞれ、キャスタを有し、床上を移動可能に構成し、前記タイヤ載置台は前記キャスタを有する基台と、該基台上に配置されるタイヤ支持部材とを有し、該タイヤ支持部材は二個のタイヤを軸芯方向に並んで支持するＨ字型の支持アームが設けられるとともに基台の縁部との間に間隔を有してタイヤの回転する前後方向に移動可能に配置され、ガレージ・ジャッキの上下動可能な受け皿部分を取り外し可能に構成し、前記受け皿部分を取り外したガレージ・ジャッキの前記本体を、前記受け皿部分及び前記タイヤ載置台とを取り替えて用いるように構成した。
【０００８】
このように構成したので、図１に示すように、タイヤ着脱装置１は、操作レバー３、基体２及び駆動腕４で構成される本体を有し、駆動腕４の先端に設けた保持部５によりタイヤ載置台７を取り外し可能に保持し、操作レバー３の矢印１４方向の操作により駆動腕４が上下動し、保持部５を介してタイヤ載置台７が上下動し、予め別のガレージジャッキ等により持ち上げられていた車両のタイヤ１５の下部にタイヤ載置台７の上部を当接して、該タイヤを車軸から取り外すことによりタイヤ載置台７上にタイヤを載置することができる。
【０００９】
前記本体とタイヤ載置台７とには、それぞれ、キャスタ３Ａ，３Ｂ及び、１０Ａ〜１０Ｄを有し、床上を移動可能に構成されているので、タイヤ１５はタイヤ着脱装置１とともに、もしくは操作レバー３の操作によりタイヤ載置台７を下ろしてタイヤ載置台７により、保管場所に移動して保管することができる。
【００１０】
したがって、作業状況の省力化、簡易化を行うことができるとともに、作業者の足腰に負担の掛からないタイヤ着脱装置を提供することができ、車両からタイヤを取り外した後に、容易に該タイヤを移動し、保管できるタイヤ着脱装置を提供することができる。
【００１１】
また、前記タイヤ載置台７を、前記キャスタ１０Ａ〜１０Ｄを有する基台８と、該基台８上にタイヤの回転する前後方向に（矢印１３）に移動可能に設けられたタイヤ支持部材（９Ａ〜９Ｃ、１２）とにより構成した。
【００１２】
このように構成すると、図２に示すように、基台８と支持台１２との間の間隙Ｒ，Ｒだけタイヤ１５は左右動可能であり、操作レバー３（図１）による上下動と協同して車軸とタイヤセンターとを調整して一致させることができる。
従って、車両の軸芯とタイヤの中心とのセンタリングを簡単に行えるタイヤ着脱装置を提供することができる。
【００１３】
また、ガレージ・ジャッキの上下動可能な受け皿部分を取り外し可能に構成するとともに、前記受け皿部分を取り外したガレージ・ジャッキの前記本体を、前記受け皿部分及び前記タイヤ載置台とを取り替えて用いるように構成した。
【００１４】
図３に示すように、一般的なガレージジャッキ１７は、駆動腕４の先端に設けられた保持部５に、車両下方にある持ち上げ部を支持して持ち上げる受け皿６が保持されている。
該受け皿６を駆動腕４の保持部５から取り外し可能に構成し、タイヤ載置台７を装着可能に構成すると、一般的なガレージジャッキ１７を用いてタイヤ載置台７とともに、タイヤ着脱装置１を構成することができる。
【００１５】
このように、前記受け皿６とタイヤ載置台７とを交換可能に構成することにより、前記受け皿６を取りつけてガレージジャッキとして使用できるとともに、タイヤ載置台７を取り付けてタイヤ着脱装置として使用することができ、両者共用して使用できるために専用機として余分に用意する必要はなく経済的である。
【００１６】
【発明の実施の形態】
以下、本発明の実施の形態を、図示例と共に説明する。ただし、この実施の形態に記載されている構成部品の寸法、形状、その相対的位置等は特に特定的な記載がないかぎりは、この発明の範囲をそれに限定する趣旨ではなく、単なる説明例にすぎない。
【００１７】
図１は本発明に係るタイヤ着脱装置の一実施の形態を示す図、図２は図１のタイヤ載置台の構成を示す図、図３は、一般的ガレージジャッキを示す図である。
【００１８】
図１に示すように、本発明の実施の形態に係るタイヤ着脱装置１は、操作レバー３、基体２及び駆動腕４で構成される本体を有し、図上左方には基体２内に回転中心を有した腕部４が、右方に起立した操作レバー３の矢印１４方向の駆動により前記回転中心の周りを回動し、先端の保持部５が上下動可能に構成されている。
【００１９】
前記保持部５の中央部には開口孔が削設され、該開口孔にはタイヤ載置台７の下部に設けられた突起１１が嵌合して、タイヤ載置台７を取り外し可能に構成される。
また、図３に示すように、一般的なガレージジャッキ１７は、駆動腕４の先端に設けられた保持部５に、車両下方にある持ち上げ部を支持して持ち上げる受け皿６が保持されているが、本実施の形態は該受け皿６の突起６ａをタイヤ載置台７の突起１１と同寸法に形成して、受け皿６を駆動腕４の保持部５から取り外し可能に構成するとともに、タイヤ載置台７を装着及び取り外し可能に構成している。
【００２０】
また、前記タイヤ載置台７は、図２に示すように、下部にキャスタ１０Ａ〜１０Ｄを有する額縁状に形成された基台８と、該基台８の内面上に配置される支持台１２とを有している。
この支持台１２は２個のタイヤを軸芯方向に並んで支持するＨ字型の支持アーム９Ａ，９Ｂ，９Ｃが設けられるとともに、基台８の縁部と支持台１２との間の間隙Ｒ，Ｒだけ支持台１２は小さく形成されているので、車両のタイヤ軸芯１６と交差する方向（矢印１３）に移動可能に配置されている。
【００２１】
次に、このように構成された本実施の形態の動作を説明する。図１において、タイヤ着脱装置１の操作レバー３を押してタイヤ着脱装置１のタイヤ載置台７を、別途ガレージジャッキ等により持ち上げている車輪の直下に運ぶ。
操作レバー３の矢印１４方向の操作により駆動腕４が上昇して、その先端に設けられた保持部５を介してタイヤ載置台７が上昇し、車両のタイヤ１５の下部にタイヤ載置台７の上部を当接して、タイヤのナットを外す。
【００２２】
その状態で、タイヤ着脱装置１を後方に引き、車体から離脱し、そのままタイヤ着脱装置１をタイヤ保管場所まで移動することもできる。
また、タイヤ着脱装置１を後方に引き、車体からタイヤが離脱した状態でいったんタイヤ着脱装置１を止め、操作レバー３を操作して駆動腕４を下降させ、保持部５の開口孔からタイヤ載置台７の突起１１が外れた状態で、タイヤ載置台７を押してタイヤ保管場所までタイヤを移動することができる。
【００２３】
タイヤを車両に装着するには、タイヤを載置したタイヤ載置台７の基台８と床との間にタイヤ着脱装置１の保持部５を挿入して保持部５の開口孔と突起１１と合致させ、操作レバー３を操作してタイヤ載置台７を持ち上げた状態になすか、またはタイヤ載置台７ごと持ち上げて、保持部５の開口孔と突起１１とを合致させ、両者を嵌合した状態で、タイヤ着脱装置１を車両の車軸直下に運ぶ。
【００２４】
しかる後に、操作レバー３により車軸のセンターの高さとタイヤのセンターの高さとを合わせ、また、支持台１２を図２上左右動することで車軸とタイヤとのセンタを合わせ、ナットで固定する。
【００２５】
以上詳述したように、本実施の形態によると、図１に示すように、走査レバー３、基体２及び駆動腕４で構成される本体は、保持部５によりタイヤ載置台７を取り外し可能に保持し、操作レバー３の矢印１４方向の操作により駆動腕４が上下動し、その先端に設けられた保持部５を介してタイヤ載置台７が上下動し、予め別のガレージジャッキ等により持ち上げられていた車両のタイヤ１５の下部にタイヤ載置台７の上部を当接して、該タイヤを車軸から取り外すことによりタイヤ載置台７上にタイヤを載置することができる。
【００２６】
そして、前記本体とタイヤ載置台７とには、それぞれ、キャスタ３Ａ，３Ｂ及び、１０Ａ〜１０Ｄを有し、床上を移動可能に構成されているので、タイヤ１５はタイヤ着脱装置１とともに、もしくは、操作レバー３の操作によりタイヤ載置台７を下ろしてタイヤ載置台７により、保管場所に移動して保管することができる。
【００２７】
したがって、作業状況の省力化、簡易化を行うことができるとともに作業者の足腰に負担の掛からないタイヤ着脱装置を提供することができ、車両からタイヤを取り外した後に、容易に該タイヤを移動し、保管できるタイヤ着脱装置を提供することができる。
【００２８】
また、前記タイヤ載置台７を、前記キャスタ１０Ａ〜１０Ｄを有する基台８と、該基台８上に車両のタイヤ軸芯１６と交差する方向（矢印１３）に移動可能に設けられたタイヤ支持部材（９Ａ〜９Ｃ、１２）とにより構成しているので、基台８と支持台１２との間の間隙Ｒ，Ｒだけタイヤ１５は左右動可能であり、操作レバー３（図１）による上下動と協同して車軸とタイヤセンターとを調整して一致させることができ、車両の軸芯とタイヤの中心とのセンタリングを簡単に行えるタイヤ着脱装置を提供することができる。
【００２９】
また、ガレージ・ジャッキの上下動可能な受け皿部分を取り外し可能に構成するとともに、前記受け皿部分を取り外したガレージ・ジャッキの前記本体を、前記受け皿部分及び前記タイヤ載置台とを取り替えて用いるように構成しているので、一般的なガレージジャッキ１７を用いてタイヤ載置台７とともに、タイヤ着脱装置１を構成することができる。
【００３０】
したがって、前記受け皿６とタイヤ載置台７とを交換可能に構成することにより、前記受け皿６を取りつけてガレージジャッキとして使用できるとともに、タイヤ載置台７を取り付けてタイヤ着脱装置として使用することができ、両者共用して使用できるために専用機として余分に用意する必要はなく経済的である。
【００３１】
【発明の効果】
上述したように、本発明は、作業状況の省力化、簡易化を行うことができるとともに、作業者の足腰に負担の掛からないタイヤ着脱装置を提供することができる。
【図面の簡単な説明】
【図１】本発明に係るタイヤ着脱装置の一実施の形態を示す図である。
【図２】図１のタイヤ載置台の構成を示す図である。
【図３】一般的ガレージジャッキを示す図である。
【符号の説明】
１              タイヤ着脱装置
２              基体
３              操作レバー
４              駆動腕
５              保持部
６              受け皿
７              タイヤ載置台
８              基台
９              支持アーム（９Ａ，９Ｂ，９Ｃ）
１０              キャスタ（１０Ａ〜１０Ｄ）
１１              突起
１２              支持台
１５              タイヤ
１７              ガレージジャッキ
【図１】
0003748634.tif 000002
【図２】
0003748634.tif 000003
【図３】
0003748634.tif 000004